(57)【特許請求の範囲】
【請求項１】
空気の流れを生成する送風機を備えた騒音を発生させる家電機器に設けられ、
前記空気が通過する通気開口を有し、
前記家電機器から発生した前記騒音の周波数特性におけるピークが存在する周波数帯域以外の帯域にピークが存在し、前記騒音を目立たなくする意識制御用音を、前記空気が前記通気開口を通過する際に放射する
ことを特徴とする意識制御用音放射装置。
【請求項２】
面積の異なる複数の前記通気開口を有する
ことを特徴とする請求項１に記載の意識制御用音放射装置。
【請求項３】
前記家電機器に吸い込む前記空気が前記通気開口を通過する際に前記意識制御用音を放射する
ことを特徴とする請求項１または２に記載の意識制御用音放射装置。
【請求項４】
前記家電機器から排出される前記空気が前記通気開口を通過する際に前記意識制御用音を放射する
ことを特徴とする請求項１または２に記載の意識制御用音放射装置。
【請求項５】
前記送風機と、
請求項１〜４のいずれか一項に記載の意識制御用音放射装置と、を備えた
ことを特徴とする家電機器。
【請求項６】
前記送風機を収納する筐体を備え、
前記意識制御用音放射装置は、前記筐体に設けられている、または前記筐体と一体形成されている
ことを特徴とする請求項５に記載の家電機器。
【請求項７】
前記意識制御用音放射装置は、前記筐体に着脱可能に設けられている
ことを特徴とする請求項６に記載の家電機器。
【発明の詳細な説明】
【技術分野】
【０００１】
本発明は、住居空間における音環境が快適となるような制御を行う意識制御用音放射装置、およびそれを備えた家電機器に関するものである。
【背景技術】
【０００２】
従来、マスキング効果を利用して音の漏れ聞こえを防ぐ技術が各種提案されている（たとえば、特許文献１および２参照）。マスキング効果とは、２種類の音信号を同じ空間内に伝播させた場合に、空間内の聴者において、一方の音（騒音）が他方の音（マスキング音）によってかき消されて、騒音が聞き取りにくくなる現象のことである。この種の技術の多くは、ターゲット音の発生源である話者が居る領域、および壁や衝立を介して隣接している領域に向けてマスキング音を放射するものである。なお、マスキング音としては、人の話し声、空調音、自然界の音（たとえば風や波）などが用いられる。
【０００３】
たとえば、仕事エリアと会議エリアとが隣接した環境において会議エリアで会議が行われている場合では、その会議エリアに隣接した仕事エリアへ会議者の話し声（騒音）を聞こえにくくする（マスキングする）ための音（マスキング音）を放射する。これはスピーチプライバシーという考えに基づいた技術であり、こうすることにより、会議者の話し声が仕事エリアへ伝播して仕事エリアに居る人に迷惑が掛からないようにするとともに、会議者の話し声から仕事エリアに居る人に情報が漏洩しないようにしている。
【０００４】
また、通信手段を介してＴＶ、ラジオなどの聞きたい音（ターゲット音）を発生させる機器と、掃除機などの騒音を発生させる機器との通信を行い、騒音が発生したらターゲット音の音量を自動で上げることにより、ターゲット音を聞き取りやすくしているものが提案されている（たとえば、特許文献３参照）。
【先行技術文献】
【特許文献】
【０００５】
【特許文献１】特許第５１０３９７３号公報
【特許文献２】特開２０１２−１９４５２８号公報
【特許文献３】特開２０１４−１００２８１号公報
【発明の概要】
【発明が解決しようとする課題】
【０００６】
しかしながら、特許文献１および２に記載のような従来の技術において、聞きたくない音である騒音に加えて聞きたい音であるターゲット音が同一空間に存在する場合は、その両方の音をマスキング音によってマスキングしてしまい、ターゲット音が聞こえにくくなってしまうという課題があった。
【０００７】
また、上記技術は一般家庭に適用することもできるが、一般家庭でたとえば換気扇の音を消すために、マスキング音として空調機の音を用いた場合、換気扇の音に対して一応の効果を得ることはできるが、周波数特性の違いからマスキング音が騒音として聞こえてしまうという課題があった。また、マスキング音として自然界の音を用いた場合、一般家庭で聞くことのない音なので、そのような音が聞こえるのは聴取的に不自然な感覚を与えることになり、聴感的にも心理的にも不快感を与えてしまうという課題があった。
【０００８】
また、特許文献３に記載のような従来の技術は、単純な音圧制御であるため、周波数など聴感が考慮されておらず、つまり、居住空間の音響特性が考慮されていないことなどから、実際に人が聞く際にはターゲット音を聞き取りやすくするという効果が得られにくいという課題があった。
【０００９】
本発明は、以上のような課題を考慮してなされたもので、騒音に加えてターゲット音が同一空間に存在する場合においても、騒音のみを聞こえにくくして（騒音を目立たないようにして）、効果的にターゲット音を聞き取りやすくする（ターゲット音に集中できる環境にする）ことができる意識制御用音放射装置、およびそれを備えた家電機器を提供することを目的としている。
【課題を解決するための手段】
【００１０】
本発明に係る意識制御用音放射装置は、空気の流れを生成する送風機を備えた騒音を発生させる家電機器に設けられ、前記空気が通過する通気開口を有し、前記家電機器から発生した前記騒音の周波数特性におけるピークが存在する周波数帯域以外の帯域にピークが存在し、前記騒音を目立たなくする意識制御用音を、前記空気が前記通気開口を通過する際に放射するものである。
【発明の効果】
【００１１】
本発明に係る意識制御用音放射装置によれば、騒音を発生させる家電機器に設けられ、騒音を目立たなくする意識制御用音を騒音と同方向から放射することで、意識制御エリアにいる人に騒音と意識制御用音とを一つの音として認識させることができる。そのため、騒音に加えてターゲット音が同一の居住空間に存在する場合において、意識制御用音に意識制御エリアにいる人の意識を向かせることで、騒音を目立たなくして、ターゲット音を聞き取りやすくすることができる。
【図面の簡単な説明】
【００１２】
【図１】本発明の実施の形態１に係る意識制御用音放射装置の導入例を示す側面図である。
【図２】本発明の実施の形態１に係る音源の時間軸波形を示す図である。
【図３】本発明の実施の形態１に係る周波数特性を示す図である。
【図４】本発明の実施の形態１に係る意識制御用音放射装置における意識制御用音の放射有無による評価結果を示す図である。
【図５】本発明の実施の形態１に係る意識制御用音放射装置が設けられた換気扇の模式図である。
【図６】本発明の実施の形態２に係る意識制御用音放射装置が設けられた掃除機の模式図である。
【発明を実施するための形態】
【００１３】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１４】
実施の形態１．
図１は、本発明の実施の形態１に係る意識制御用音放射装置３１の導入例を示す側面図である。
本実施の形態１では、居住空間１００における音環境を快適にするために、意識制御用音を利用する。なお、図１では意識制御用音放射装置３１を一般家庭の居住空間１００に導入した例を示しており、その居住空間１００は、オープンキッチン１０とリビング２０とが互いに隣接し、それらがカウンター１９で仕切られている。また、図１中の点線は、オープンキッチン１０とリビング２０との境界線を示している。また、図１中の矢印１６は騒音を、矢印１７は意識制御用音を、矢印１８は換気扇１１からの伝搬音（騒音＋意識制御用音）を、矢印２４はＴＶ２１からの伝搬音を、それぞれ示している。
【００１５】
本実施の形態１に係る意識制御用音放射装置３１は、人間の聴感的な注意（興味など）を促す音である意識制御用音を騒音と同方向から放射する。そして、聴者に騒音と意識制御用音とを一つの音（一緒の音）として認識させ、不快ではない音である意識制御用音に聴者の意識を向かせることで、不快な音である騒音を目立たなくする。
【００１６】
本実施の形態１では、騒音の発生源（以下、騒音発生源と称する）としてオープンキッチン１０にある換気扇１１、ターゲット音の発生源（以下、ターゲット音発生源と称する）としてリビング２０にあるＴＶ２１を例に説明する。また、リビング２０のソファ２２に座ってＴＶ２１を視聴している視聴者４０を意識制御用音対象者とし、ソファ２２および視聴者４０は、騒音発生源である換気扇１１とターゲット音発生源であるＴＶ２１との間の意識制御エリア２３に位置している。
【００１７】
ここで、意識制御用音対象者とは、意識制御用音を放射することによってターゲット音が聞き取りやすくなる者のことであり、意識制御エリア２３とは、意識制御用音対象者が居るエリアであり、意識制御用音で騒音を目立たなくすることによって、ターゲット音が聞き取りやすくなるエリアのことである。
【００１８】
意識制御用音には、騒音が気にならないようにするため、騒音の周波数特性とは別の周波数特性を有し、人間の聴感的な注意（興味など）を促す音を用いる。具体的には、事前に行った主観評価実験、および、（心拍、脳波などの）生理反応実験などの結果から、騒音と意識制御用音とを一つの音として認識させた場合に、不快ではないと判断された周波数を用いる。
【００１９】
なお、換気扇１１以外の騒音発生源としては、食洗器、エアコン、冷蔵庫、電子レンジなどがあり、その他のターゲット音発生源としては、ラジオ、コンポ、楽器などがある。
【００２０】
オープンキッチン１０に居る調理者４１が調理を行うために換気扇１１を運転させた場合、換気扇１１からの伝搬音（以下、騒音とも称する）はリビング２０でＴＶ２１を視聴している視聴者４０に伝播する。そのため、視聴者４０はその騒音によって、ＴＶ２１からの伝播音（ターゲット音）が聞こえにくくなってしまう。
【００２１】
そこで、本実施の形態１では、意識制御用音を騒音と同方向から放射し、意識制御用音対象者に騒音と意識制御用音とを一つの音（一緒の音）として認識させ、意識制御用音に意識を向かせることで、換気扇１１の音（騒音）を目立たないようにし、視聴者４０がＴＶ２１の音（ターゲット音）を聞き取りやすくなる効果を利用する。
【００２２】
意識制御用音放射装置３１は、意識制御用音を放射するものであり、意識制御エリア２３よりも騒音発生源である換気扇１１側に配置される。そうするのは、意識制御用音を騒音と同方向から放射し、意識制御用音対象者に騒音と意識制御用音とを一つの音として認識させるためである。
【００２３】
なお、意識制御用音放射装置３１を、意識制御エリア２３に対して換気扇１１とは反対側の位置に配置したりすると、意識制御用音対象者は騒音と意識制御用音とを別々の音として認識するようになる。そうなると、意識制御用音対象者に、騒音と意識制御用音とを一つの音として認識させ、不快ではない音である意識制御用音に意識を向かせることで、不快な音である騒音を目立たなくする、ということができなくなる。
【００２４】
本実施の形態１では、意識制御用音放射装置３１は、換気扇１１の筐体１２の前面側に形成されている吸気口１３に設けられ、換気扇１１の送風機１４の駆動に伴い発生する空気が、意識制御用音放射装置３１に形成されている通気開口３２を通過することで、意識制御用音が発生するようになっている。すなわち、送風機１４の駆動に伴い発生する騒音が吸気口１３を通して放射されるのと同時に、空気が通気開口３２を通過することで発生する意識制御用音も視聴者４０に向けて放射される。なお、意識制御用音放射装置３１は、吸気口１３の全体に設けられていてもよいし、吸気口１３の一部に設けられていてもよい。
【００２５】
図２は、本発明の実施の形態１に係る音源の時間軸波形を示す図、図３は、本発明の実施の形態１に係る周波数特性を示す図である。なお、図２の横軸は時間（ｍＳ）を、縦軸は出力電圧（Ｖ）をそれぞれ示しており、図２（ａ）は本実施の形態１に係る音源である換気扇１１の時間軸波形（アナログ信号）を示しており、図２（ｂ）は本実施の形態１に係る音源であるＴＶ２１の時間軸波形（アナログ信号）を示している。また、図３の横軸は周波数（Ｈｚ）を、縦軸は振幅（ｄＢ）をそれぞれ示しており、図３は、図２の時間軸波形をデジタル信号に変換後、高速フーリエ変換（ＦＦＴ）処理することで得られる周波数特性を示している。
【００２６】
ここで、ＴＶ２１の音は放送／再生する媒体により、音楽やドラマ、および映画やニュースなど様々な媒体であり、定常性の音響特性になっているとは言いがたい。なお、放送中に含まれる人がかかわる音声には男女差はあるものの、５００Ｈｚ以上〜３ｋＨｚ前後までの周波数帯域に特徴量を持つ特性を有している。
【００２７】
人の聴感的な特性としては、公知であるツビィッカー・ラウドネス曲線（図示せず）で見られるように、１ｋＨｚが最も聞き取りやすい特性を有しており、低い周波数に関しては聴感的な反応は鈍い。また、高い周波数に対しても年齢的な面も考慮すると、３ｋＨｚ前後までが最も聞き取りやすい周波数帯域であることが知られている。
【００２８】
実際、ＴＶ２１などから伝播してくる音の周波数特性は、上記周波数帯域５００Ｈｚ〜３ｋＨｚで説明できる音が伝播してくる。よって、ＴＶ２１などからの音を聞き取りやすくするためには、５００Ｈｚ〜３ｋＨｚの帯域の音を確実に聴取できることが重要になる。
【００２９】
各騒音に対して最も効果がある意識制御用音として、図３に示すように騒音の周波数特性におけるピークが存在する周波数帯域以外の帯域に、ピークが存在する周波数特性を有する音を意識制御用音とする。意識制御用音に意識制御用音対象者の意識を向かせ、騒音を目立たなくすることが目的であるため、騒音の特徴的な周波数特性であるピークが存在する周波数帯域以外の帯域に、意識制御用音のピークを合わせることにより、騒音を目立たなくすることができる。
【００３０】
また、意識制御用音の音圧レベルは、意識制御用音の周波数特性におけるピークの平均の音圧レベルが、騒音の周波数特性におけるピークの平均の音圧レベルに対して最大約３ｄＢ低くなるように形成している。このように音圧レベルを調整するのは、後述する評価結果より、最も高い効果が得られたためである。なお、この効果については主観評価実験、生理反応評価実験などの結果からも確認できている。
【００３１】
図４は、本発明の実施の形態１に係る意識制御用音放射装置３１における意識制御用音の放射有無による評価結果を示す図である。なお、図４（ａ）は、意識制御用音の放射有無による換気扇１１の音（騒音）に対する聴感的な反応について、図４（ｂ）は、意識制御用音の放射有無によるＴＶ２１の音（ターゲット音）に対する聞こえの感性について、それぞれ図１に示すリビング２０のソファ２２に座った聴覚正常者５０名に対して形容詞対を用いて７段階の意味尺度で主観評価した結果を示している。
【００３２】
また、図４中の■は意識制御用音の放射無し、△は意識制御用音（Ａタイプ）の放射有り、○は意識制御用音（Ｂタイプ）の放射有りの結果を示しており、■、○、および、△の◆−◆間は、５０名による偏差範囲を示すものである。なお、意識制御用音（Ａタイプ）とは、周波数特性におけるピークの平均の音圧レベルが、騒音の周波数特性におけるピークの平均の音圧レベルと同等の意識制御用音のことであり、意識制御用音（Ｂタイプ）とは、周波数特性におけるピークの平均の音圧レベルが、騒音の周波数特性におけるピークの平均の音圧レベルに対して３ｄＢ低い意識制御用音のことである。
【００３３】
図４（ａ）に示すように、リビング２０のソファ２２に座った聴覚正常者によれば、意識制御用音の放射無しでは換気扇１１の音を「不快である」と感じていた割合が多かったが、意識制御用音（Ａタイプ）の放射有りでは、「どちらでもない」と感じる割合が多くなり、意識制御用音（Ｂタイプ）の放射有りでは、「不快ではない」と感じる割合が多くなっていることが分かる。
【００３４】
つまり、意識制御用音を放射することにより換気扇１１の音は聞こえにくくなった（騒音が目立たなくなった）ことが確認でき、さらに、意識制御用音（Ｂタイプ）が最も不快ではないと感じることが確認できる。これは、意識制御用音と騒音とが同等の音圧レベルで再生されると、色々な音がランダムに発生しているように聞こえてしまい、意識制御用音に聴覚正常者の意識を向かせることができないためである。
【００３５】
そのため、意識制御用音の周波数特性におけるピークの平均の音圧レベルを、騒音の周波数特性におけるピークの平均の音圧レベルに対して低くすることで、色々な音がランダムに発生しているように聞こえるのを抑制し、意識制御用音に聴覚正常者の意識を向かせることができるようになる。そして、評価結果より最も快適に感じるのは、意識制御用音の周波数特性におけるピークの平均の音圧レベルを、騒音の周波数特性におけるピークの平均の音圧レベルに対して最大約３ｄＢ低くした場合である。
【００３６】
なお、意識制御用音の周波数特性におけるピークの平均の音圧レベルを、騒音の周波数特性におけるピークの平均の音圧レベルに対して３ｄＢよりも低くしてしまうと、徐々に意識制御用音よりも騒音が目立ってきてしまい、逆に不快に感じるようになる。そのため、意識制御用音の周波数特性におけるピークの平均の音圧レベルを、騒音の周波数特性におけるピークの平均の音圧レベルに対して最大でも５ｄＢ以内にするとよい。
【００３７】
また、図４（ｂ）に示すように、リビング２０のソファ２２に座った聴覚正常者によれば、意識制御用音の放射無しではＴＶ２１の音声が「聞こえにくい」と感じる割合が多かったが、意識制御用音（Ａタイプ）の放射有りでは、「どちらでもない」と感じる割合が多くなり、意識制御用音（Ｂタイプ）の放射有りでは「十分に聞き取れる」と感じる割合が多くなっていることが分かる。
【００３８】
つまり、意識制御用音を放射することによりＴＶ２１の音は聞こえやすくなった（ターゲット音に集中できる環境になった）ことが確認できる。さらに、意識制御用音（Ｂタイプ）が最も効果があることが確認できる。
【００３９】
図５は、本発明の実施の形態１に係る意識制御用音放射装置３１が設けられた換気扇１１の模式図である。
本実施の形態１では、意識制御用音放射装置３１は、換気扇１１の筐体１２の前面側に形成されている吸気口１３に設けられ、通気開口３２を有し、送風機１４の駆動によって空気の流れが生成され、それに伴う空気が通気開口３２を通過することで、意識制御用音が発生する構成となっている。すなわち、送風機１４の駆動に伴い発生する騒音が吸気口１３を通して放射されるのと同時に、空気が通気開口３２を通過することで発生する意識制御用音も視聴者４０に向けて放射される。
【００４０】
意識制御用音放射装置３１の通気開口３２は、一つの単純な開口形状・面積ではなく、面積の異なる複数種類（本実施の形態１では３種類）の形状となっている。送風機１４の駆動により空気の流れが生成され、換気扇１１内に空気が流れるが、空気は通気開口３２を通過して換気扇１１内に吸入される。その際に、意識制御用音放射装置３１の通気開口３２を形成している端部においては気流が乱れることで渦が発生し、流体音が生成され、面積の異なる各通気開口３２ではそれぞれ通過する流速が異なるため、周波数の異なる流体音が生成・放射される。
【００４１】
流体音の周波数としては、上記のような送風機１４の騒音の特徴的な周波数特性であるピークが存在する周波数帯域以外の帯域に該当し、意識制御用音となり得るように通気開口３２の面積が調整されている。換気扇１１の運転モード（回転数）が複数ある場合には、そのモードに対応可能な分だけの通気開口３２を備えておいてもよい。
【００４２】
また、意識制御用音放射装置３１は、換気扇１１の筐体１２に着脱可能な構成となっている。そのため、意識制御用音を空間放射したい場合にのみ意識制御用音放射装置３１を取り付けて換気扇１１の送風機１４の駆動ができ、意識制御用音放射装置３１が不要な場合には取り外して通常の換気扇１１による換気機能を果たすことができるようになっている。
【００４３】
以上のように、本実施の形態１に係る意識制御用音放射装置３１によれば、その意識制御用音を騒音と同方向から放射する。そして、意識制御用音対象者に騒音と意識制御用音とを一つの音（一緒の音）として認識させ、不快ではない音である意識制御用音に意識制御用音対象者の意識を向かせることで、不快な音である騒音を目立たなくする。そうすることで、騒音に加えてターゲット音が同一空間に存在する場合において、ターゲット音を聞き取りやすくする（ターゲット音に集中できる環境にする）ことができる。
【００４４】
また、意識制御用音として、騒音の特徴的な周波数特性であるピークが存在する周波数帯域以外の帯域にピークを合わせるとともに、ピークの平均の音圧レベルを騒音の周波数特性におけるピークの平均の音圧レベルに対して最大約３ｄＢ低くなるように形成しているため、騒音が目立たずターゲット音を聞き取りやすい空間を形成することができる。
【００４５】
また、意識制御用音放射装置３１は、送風機１４の駆動に伴う空気が通気開口３２を通過することで、意識制御用音が発生する構成となっているため、スピーカなどの音放射手段を別途設けることなく、低コストで意識制御用音を放射することができる。
【００４６】
また、意識制御用音放射装置３１は、換気扇１１の吸気口１３に設けられているため、騒音がＴＶ２１の視聴者４０に向けて放射されやすい吸気口１３において、騒音放射位置である吸気口１３から一緒に意識制御用音を放射することができ、視聴者４０に対して効果的に意識制御を行うことができる。
【００４７】
また、意識制御用音放射装置３１は、面積の異なる複数の通気開口３２を有しているため、騒音の特徴的な周波数特性であるピークが複数存在する場合、周波数帯域以外の帯域のピークを合わせるような複数ピークを持つ形で、ターゲット音を聞き取りやすくする意識制御用音を発生させることができる。
【００４８】
さらに、意識制御用音放射装置３１は、換気扇１１に着脱可能な構成となっているため、機器メーカ側が快音機種のラインナップまたはオプションとして必要な場合、もしくは使用者が快音モードで動作させたい場合にのみ、意識制御用音放射装置３１を取り付けることができ、機器の送風性能（空気清浄など）を優先した場合、洗浄したい場合などには取り外して、シーンや販売形態に応じた使い方が可能となる。なお、図５において意識制御用音放射装置３１は換気扇１１の筐体１２、意匠部材の一部などを利用して形成してもよく、それによれば外観上、気にならない形態で別途専用部材を設けることなく意識制御用音放射装置３１を取り付けることができる。
【００４９】
なお、本実施の形態１では、意識制御用音放射装置３１を比較的狭い空間である、オープンキッチン１０とリビング２０とからなる居住空間１００に導入した例を示したが、それに限定されず、より広い空間に導入してもよい。また、騒音発生源が複数ある場合、各騒音の近傍に意識制御用音放射装置３１をそれぞれ設置することで、広範囲にわたって騒音を目立たなくして、ターゲット音を聞き取りやすくする（ターゲット音に集中できる環境にする）ことができる。
【００５０】
実施の形態２．
図６は、本発明の実施の形態２に係る意識制御用音放射装置３３が設けられた掃除機５１の模式図である。
以下、本実施の形態２について説明するが、実施の形態１と重複するものについては省略し、実施の形態１と同じ部分または相当する部分には同じ符号を付す。
【００５１】
本実施の形態２では、図６に示すように騒音発生源として掃除機５１を想定した場合について説明する。  
本実施の形態２では、意識制御用音放射装置３３は、掃除機５１の筐体５２の背面側に形成されている排気口５３に設けられ、通気開口３４を有し、送風機５４の駆動によって空気の流れが生成され、それに伴う空気が通気開口３４を通過することで、意識制御用音が発生する構成となっている。すなわち、送風機５４の駆動に伴い発生する騒音が排気口５３を通して放射されるのと同時に、空気が通気開口３４を通過することで発生する意識制御用音も視聴者４０に向けて放射される。
【００５２】
通気開口３４は、一つの単純な開口形状・面積ではなく、面積の異なる複数種類（本実施の形態２では３種類）の形状となっている。送風機５４の駆動により掃除機５１内に空気が流れると同時に、空気は排気口５３を通過する。この際、意識制御用音放射装置３３の通気開口３４を形成している端部においては気流が乱れることで渦が発生して流体音が生成され、面積の異なる各通気開口３４ではそれぞれ通過する流速が異なるため、周波数の異なる流体音が生成・放射される。
【００５３】
流体音の周波数としては、上記のような送風機５４の騒音の特徴的な周波数特性であるピークが存在する周波数帯域以外の帯域に該当し、意識制御用音となり得るように通気開口３４の面積が調整されている。掃除機５１の運転モード（回転数）が複数ある場合には、そのモードに対応可能な分だけの通気開口３４を備えておいてもよい。
【００５４】
また、意識制御用音放射装置３３は、掃除機５１の筐体５２に着脱可能な構成となっている。そのため、意識制御用音を空間放射したい場合にのみ意識制御用音放射装置３３を取り付けて掃除機５１の送風機５４の駆動ができ、意識制御用音放射装置３３が不要な場合には取り外して通常の掃除機５１によるゴミ吸引機能を果たすことができるようになっている。
【００５５】
以上のように、本実施の形態２に係る意識制御用音放射装置３３によれば、その意識制御用音を騒音と同方向から放射する。そして、意識制御用音対象者に騒音と意識制御用音とを一つの音（一緒の音）として認識させ、不快ではない音である意識制御用音に意識制御用音対象者の意識を向かせることで、不快な音である騒音を目立たなくする。そうすることで、騒音に加えてターゲット音が同一空間に存在する場合において、ターゲット音を聞き取りやすくする（ターゲット音に集中できる環境にする）ことができる。
【００５６】
また、意識制御用音放射装置３３は、掃除機５１の排気口５３に設けられているため、吸気口（図示せず）と比較して騒音が高い風速に搬送されてＴＶ２１の視聴者４０まで到達しやすい掃除機５１において、騒音放射位置である排気口５３から一緒に意識制御用音を放射することができ、視聴者４０に対して効果的に意識制御を行うことができる。
【符号の説明】
【００５７】
１０  オープンキッチン、１１  換気扇、１２  筐体、１３  吸気口、１４  送風機、１６  矢印（騒音）、１７  矢印（意識制御用音）、１８  矢印（換気扇からの伝搬音）、１９  カウンター、２０  リビング、２１  ＴＶ、２２  ソファ、２３  意識制御エリア、２４  矢印（ＴＶからの伝搬音）、３１  意識制御用音放射装置、３２  通気開口、３３  意識制御用音放射装置、３４  通気開口、４０  視聴者、４１  調理者、５１  掃除機、５２  筐体、５３  排気口、５４  送風機、１００  居住空間。
【図１】
0006521680.tif 000002
【図２】
0006521680.tif 000003
【図３】
0006521680.tif 000004
【図４】
0006521680.tif 000005
【図５】
0006521680.tif 000006
【図６】
0006521680.tif 000007